(57)【要約】【課題】複数の電線を束ねた外装部材を容易に電線束から外すことができる易解体ワイヤハーネスを提供する。【解決手段】自動車の車体パネルに取り付けられるワイヤハーネス１Ａは、複数の電線からなる電線束２と、前記複数の電線を束ねた複数のクリップ６と、これらクリップ６により前記複数の電線と共に束ねられた伸縮自在な袋状に設けられた膨張チューブ５と、を有している。このワイヤハーネス１Ａは、前記複数の電線と膨張チューブ５とがクリップ６により共に束ねられた状態で、膨張チューブ５内に流体が注入されて該膨張チューブ５が膨張することにより、クリップ６が破断して電線束２から外れる。【選択図】図２
2009129734.tif 000002
【特許請求の範囲】
【請求項１】
複数の電線と、これら複数の電線を束ねる外装部材と、該外装部材により前記複数の電線と共に束ねられる伸縮自在な袋状に設けられた膨張チューブと、を有し、そして、
前記複数の電線と前記膨張チューブとが前記外装部材により共に束ねられた状態で、前記膨張チューブ内に流体が注入されて該膨張チューブが膨張することにより、前記外装部材が破断する
ことを特徴とするワイヤハーネス。
【請求項２】
前記外装部材が粘着テープであることを特徴とする請求項１に記載のワイヤハーネス。
【請求項３】
前記外装部材が、前記複数の電線の外周に巻き付けられる帯状のバンド部と、該バンド部を前記複数の電線の外周に巻き付いた状態に固定するバンド係止部と、パネルに設けられた穴に圧入係止される圧入部と、を有するクリップである
ことを特徴とする請求項１に記載のワイヤハーネス。
【請求項４】
前記外装部材が、
粘着テープと、
前記複数の電線の外周に巻き付けられる帯状のバンド部と、該バンド部を前記複数の電線の外周に巻き付いた状態に固定するバンド係止部と、パネルに設けられた穴に圧入係止される圧入部と、を有するクリップと、
の双方で構成されていることを特徴とする請求項１に記載のワイヤハーネス。
【請求項５】
前記バンド部に、幅と厚みとのうち少なくとも一方が他の部分よりも小さく形成されて、破断し易くなるように形成された破断部が設けられている
ことを特徴とする請求項３または請求項４に記載のワイヤハーネス。
【発明の詳細な説明】
【技術分野】
【０００１】
本発明は、自動車などに配索されるワイヤハーネスに関し、詳しくは、前記自動車などの廃車時や修理時において、容易に解体することが可能なワイヤハーネスに関するものである。
【背景技術】
【０００２】
種々の電子機器が搭載される自動車は、これらの電子機器に電力や制御信号を伝送するためにワイヤハーネスを配索している。図１１は、従来のワイヤハーネスを示す斜視図である。このワイヤハーネス１００は、複数の電線２０が粘着テープ４などの外装部材により束ねられた電線束２と、これら電線束２の端末などに取り付けられ、電子機器のコネクタに結合されるコネクタ３と、前記自動車の車体を構成するパネルに前記電線束２を固定するためのクリップ６などの外装部材と、を有している。
【０００３】
上記クリップ６は、前記電線束２の各所定位置に取り付けられる。このクリップ６は、前記電線束２の外周に巻き付けられるバンド部６１と、このバンド部６１を電線束２の外周に巻き付いた状態に固定するバンド係止部６２と、前記パネルに設けられた穴に圧入係止される圧入部６３と、を有している。
【０００４】
このようなクリップ６は、バンド部６１が電線束２の外周に巻き付けられ、圧入部６３が前記パネルの穴に係止して、電線束２を前記パネルに取り付ける。そして、電線束２を前記車体の所定位置に位置決めするとともに、電線束２が走行中などの振動により振動することを防止する（特許文献１を参照。）。
【特許文献１】特開２００２−２３３０３８号公報
【特許文献２】特開平１１−２６０１５１号公報
【発明の開示】
【発明が解決しようとする課題】
【０００５】
上述した自動車の廃車時や修理時においてワイヤハーネス１００を解体してリサイクルする際は、電線束２に巻き付けられた複数のクリップ６のバンド部６１を１つずつ外してこの電線束２を前記パネルから取り外し、そして、前記粘着テープ４を剥がして電線束２をばらして解体していた。
【０００６】
このように、従来のワイヤハーネス１００は、パネルなどから取り外す際に複数のクリップ６のバンド部６１を１つずつ外さなければならず、解体作業に多くの時間を要してしまうという問題があった。また、前記パネルの手の届き難い場所にクリップ６が取り付けられている場合は、バンド部６１を外す作業が非常に困難な作業になってしまうという問題があった。また、何重にも重ねられて巻き付けられた粘着テープ４を剥がす作業は多くの時間を要してしまうという問題があった。
【０００７】
また、複数の電線と針金状の引き裂き線材とを、粘着テープにより共に束ねた構成のワイヤハーネスが特許文献２（特開平１１−２６０１５１号公報）に示されている。このワイヤハーネスを解体する際には、引き裂き線材の一端部を把持し、その軸線方向に沿って該引き裂き線材の他端部に向かって引っ張ることで、粘着テープを引き裂いて解体する。
【０００８】
しかし、上記特許文献２に示された粘着テープの引き裂き作業は、前記引き裂き線材を引っ張るのに大きな力が必要となるという問題があった。また、この粘着テープの引き裂き作業は、上述したクリップ６を電線束から外した後の作業となるので、当該特許文献２において、上述した「パネルの手の届き難い場所にクリップ６が取り付けられている場合はバンド部６１を外す作業が非常に困難な作業になってしまう」という問題は依然として解決されていなかった。
【０００９】
したがって、本発明は、複数の電線を束ねた粘着テープやクリップ等の外装部材を容易に電線束から外すことができる易解体ワイヤハーネスを提供することを目的とする。
【課題を解決するための手段】
【００１０】
上記目的を達成するために、請求項１に記載された発明は、複数の電線と、これら複数の電線を束ねる外装部材と、該外装部材により前記複数の電線と共に束ねられる伸縮自在な袋状に設けられた膨張チューブと、を有し、そして、前記複数の電線と前記膨張チューブとが前記外装部材により共に束ねられた状態で、前記膨張チューブ内に流体が注入されて該膨張チューブが膨張することにより、前記外装部材が破断することを特徴とするワイヤハーネスである。
【００１１】
上記請求項１に記載された発明によれば、膨張チューブが膨張することにより電線束に巻き付けられた複数の外装部材が同時に破断して外れるので、ワイヤハーネスの解体作業に要する時間を短くすることができる。また、このワイヤハーネスの解体作業は、作業員が外装部材に直接手を触れることがなく力の要らない作業であるので、作業員の肉体的な負担を軽減することができるとともに、作業の安全を確保することができる。
【００１２】
請求項２に記載された発明は、請求項１に記載された発明において、前記外装部材が粘着テープであることを特徴とするものである。この粘着テープは、複数の電線と膨張チューブとを単に束ねるだけのものであっても良いが、複数の電線と膨張チューブとを束ねるとともにこの電線束にパネルへの係止部材を取り付けるものであっても良い。さらに、複数の電線と膨張チューブとを束ねるとともにこの電線束をパネルに取り付けるものであっても良い。
【００１３】
請求項３に記載された発明は、請求項１に記載された発明において、前記外装部材が、前記複数の電線の外周に巻き付けられる帯状のバンド部と、該バンド部を前記複数の電線の外周に巻き付いた状態に固定するバンド係止部と、パネルに設けられた穴に圧入係止される圧入部と、を有するクリップであることを特徴とするものである。
【００１４】
上記請求項３に記載された発明によれば、膨張チューブが膨張することにより、電線束の各所定位置に巻き付けられた複数のクリップの各バンド部が同時に破断する、即ち外れる、ので、電線束を容易にパネルから取り外すことができるとともにワイヤハーネスの解体作業に要する時間を短くすることができる。また、これらクリップがパネルの手の届き難い場所に取り付けられている場合でも、該クリップに直接手を触れずに容易にバンド部を電線束から外すことができる。
【００１５】
請求項４に記載された発明は、請求項１に記載された発明において、前記外装部材が、粘着テープと、前記複数の電線の外周に巻き付けられる帯状のバンド部と該バンド部を前記複数の電線の外周に巻き付いた状態に固定するバンド係止部とパネルに設けられた穴に圧入係止される圧入部とを有するクリップと、の双方で構成されていることを特徴とするものである。
【００１６】
上記請求項４に記載された発明によれば、膨張チューブが膨張することにより、電線束の各所定位置に巻き付けられた複数のクリップの各バンド部が同時に外れるので、電線束を容易にパネルから取り外すことができるとともにワイヤハーネスの解体作業に要する時間を短くすることができる。また、これらクリップがパネルの手の届き難い場所に取り付けられている場合でも、該クリップに直接手を触れずに容易にバンド部を電線束から外すことができる。さらに、膨張チューブが膨張することにより、前述したバンド部と共に粘着テープも外れるので、電線束をパネルから取り外すのと同時に電線束をばらすことができ、ワイヤハーネスの解体作業に要する時間をさらに短くすることができる。
【００１７】
請求項５に記載された発明は、請求項３または請求項４に記載された発明において、前記バンド部に、幅と厚みとのうち少なくとも一方が他の部分よりも小さく形成されて、破断し易くなるように形成された破断部が設けられていることを特徴とするものである。
【００１８】
上記請求項５に記載された発明によれば、破断部を設けることにより、破断部を設けない場合よりも小さい力でバンド部を破断させることができる。即ち、膨張チューブに注入される流体の量が少なくて済むことになる。本発明では、破断部の有無、及び、破断部の幅・厚み寸法を変更することにより、バンド部の強度、即ち切れ易さ、を調節することができる。
【発明の効果】
【００１９】
請求項１に記載された発明によれば、複数の電線と、これら複数の電線を束ねる外装部材と、該外装部材により前記複数の電線と共に束ねられる伸縮自在な袋状に設けられた膨張チューブと、を有し、そして、前記複数の電線と前記膨張チューブとが前記外装部材により共に束ねられた状態で、前記膨張チューブ内に流体が注入されて該膨張チューブが膨張することにより、前記外装部材が破断することから、前記外装部材を容易に電線束から外すことができ、短時間で容易かつ安全にワイヤハーネスを解体することができる。
【００２０】
請求項２に記載された発明によれば、前記外装部材が粘着テープであることから、この粘着テープを容易に電線束から外すことができ、短時間で容易かつ安全にワイヤハーネスを解体することができる。
【００２１】
請求項３に記載された発明によれば、前記外装部材が、前記複数の電線の外周に巻き付けられる帯状のバンド部と、該バンド部を前記複数の電線の外周に巻き付いた状態に固定するバンド係止部と、パネルに設けられた穴に圧入係止される圧入部と、を有するクリップであることから、このクリップのバンド部を容易に電線束から外すことができ、電線束を容易にパネルから取り外すことができて、短時間で容易かつ安全にワイヤハーネスを解体することができる。また、クリップがパネルの手の届き難い場所に取り付けられている場合でも、該クリップに直接手を触れずに容易にバンド部を電線束から外すことができる。
【００２２】
請求項４に記載された発明によれば、前記外装部材が、粘着テープと、前記複数の電線の外周に巻き付けられる帯状のバンド部と、該バンド部を前記複数の電線の外周に巻き付いた状態に固定するバンド係止部と、パネルに設けられた穴に圧入係止される圧入部と、を有するクリップと、の双方で構成されていることから、これら粘着テープ及びクリップのバンド部を容易に電線束から外すことができ、電線束を容易にパネルから取り外すことができて、短時間で容易かつ安全にワイヤハーネスを解体することができる。また、クリップがパネルの手の届き難い場所に取り付けられている場合でも、該クリップに直接手を触れずに容易にバンド部を電線束から外すことができる。
【００２３】
請求項５に記載された発明によれば、前記バンド部に、幅と厚みとのうち少なくとも一方が他の部分よりも小さく形成されて、破断し易くなるように形成された破断部が設けられていることから、破断部を設けない場合よりも小さい力でバンド部を破断させることができる。
【発明を実施するための最良の形態】
【００２４】
（第１の実施形態）
以下、本発明の第１の実施形態に係るワイヤハーネスを図１ないし図４を用いて説明する。図１は、本発明の第１の実施形態に係るワイヤハーネスを示す平面図である。図２は、図１に示されたワイヤハーネスをパネルから取り外す方法を説明する説明図である。図３は、図１に示されたワイヤハーネスの作用を説明する説明図であり、前記ワイヤハーネスを構成する膨張チューブに流体が注入されていない状態を示す図である。図４は、図１に示されたワイヤハーネスの作用を説明する説明図であり、図３に示された膨張チューブに流体が注入された状態を示す図である。
【００２５】
図１に示す本発明のワイヤハーネス１Ａは、自動車に配索されるとともに該自動車の車体を構成するパネルに取り付けられる。このワイヤハーネス１Ａは、複数の電線と、これら電線の端部などに取り付けられたコネクタ３と、前記複数の電線を束ねた外装部材としての複数のクリップ６と、これらクリップ６により前記複数の電線と共に束ねられた伸縮自在な袋状に設けられた膨張チューブ５と、を有している。
【００２６】
また、上記複数の電線は、外周に粘着テープ４が螺旋状に巻き付けられている。また、本発明では、複数の電線が、クリップ６または粘着テープ４等により１つに束ねられた状態のものを電線束と呼び、符号２を付す。また、前記電線1本1本は、導電性の芯線とこの芯線を被覆する絶縁性の被覆部とを有する被覆電線である。
【００２７】
上記コネクタ３は、上記電線の芯線と電気的に接続される導電性の端子金具と、箱状に設けられて前記端子金具を収容する絶縁性のコネクタハウジングとを有している。このコネクタ３は、各種電子機器のコネクタにコネクタ結合される。
【００２８】
上記クリップ６は、合成樹脂で構成され、図３及び図４に示すように、電線束２の外周に巻き付けられる帯状のバンド部６１と、このバンド部６１を電線束２の外周に巻き付いた状態に固定するバンド係止部６２と、前記パネルに設けられた穴に圧入係止される圧入部６３と、を有している。
【００２９】
上記バンド部６１は、長手方向の一端がバンド係止部６２に固定され、他端が自由端となっている。また、このバンド係止部６２の前記他端側の部分には、前記長手方向に沿って間隔をあけて複数設けられた穴、または、のこぎりの歯のような刻み目が形成されている。これら穴または刻み目は、電線束２の外周に巻き付く部分の長さ調節のために形成されている。
【００３０】
上記バンド係止部６２は、上記バンド部６１の他端側の部分に設けられた上記穴または上記刻み目に係止することにより、バンド部６１を電線束２の外周に巻き付いた状態に固定する。
【００３１】
上記圧入部６３は、弾性変形自在に設けられており、上記パネルに設けられた穴に押し込まれることにより、クリップ６、即ち電線束２、をパネルに取り付ける。
【００３２】
上記膨張チューブ５は、ゴム等の伸縮自在な材料により、外形が線状・棒状に設けられ、内側が空洞に設けられた本体部５０と、この本体部５０の長手方向の一端に設けられた開口部に装着されたバルブ５１と、で構成されている。即ち、この膨張チューブ５は、長手方向の一端に開口部が設けられた袋状に設けられており、前記開口部に装着されたバルブ５１を介して本体部５０内に流体が注入されることにより図２及び図４に示すように膨張する。また、バルブ５１を介して本体部５０内の流体が排出されることにより、膨張した状態からしぼんだ状態（図１及び図３を参照。）に戻る。
【００３３】
また、上記膨張チューブ５に注入される流体として、空気などの気体、または、水などの液体を用いることができる。
【００３４】
上述した構成のワイヤハーネス１Ａを組み立てる際は、複数の電線の外周に粘着テープ４を螺旋状に巻き付けて電線束２を設け、続いてこの電線束２としぼんだ状態の膨張チューブ５を共に重ねてこれらの外周にクリップ６のバンド部６１を巻き付ける。また、クリップ６は複数取り付けられる。こうしてワイヤハーネス１Ａが組み立てられる。
【００３５】
そして、上記のように組み立てられたワイヤハーネス１Ａは、クリップ６の圧入部６３をパネルの穴に押し込んで圧入係止させることにより、このパネルに取り付けられる。
【００３６】
また、上述した構成の、パネルに固定されたワイヤハーネス１Ａは、以下に示すようにパネルから取り外される。即ち、図２に示すように、バルブ５１に流体供給装置７が装着され、このバルブ５１を介して本体部５０内に流体が注入される。このことにより本体部５０が膨張していく。そして、本体部５０が膨張していくことにより、バンド係止部６２のバンド部６１への係止が解除されて、このバンド部６１が電線束２及び膨張チューブ５から外れる。この際、複数のクリップ６のバンド部６１がほぼ同時に外れる。このようにバンド部６１が外れることにより、電線束２及び膨張チューブ５即ちワイヤハーネス１Ａがパネルから取り外される。
【００３７】
また、本発明において、「外装部材が破断する」とは、クリップ６のように、帯状のバンド部６１がバンド係止部６２に係止されて輪状に設けられたものにおいては、（Ａ）バンド係止部６２のバンド部６１への係止が解除されること、及び、（Ｂ）バンド部６１の一部分がちぎれること、の双方を言う。
【００３８】
また、図３及び図４に示す矢印Ｙ１は、バンド係止部６２のバンド部６１に対して作用する係止力の方向と大きさを示している。また、図４に示す矢印Ｙ２は、膨張チューブ５の本体部５０の膨張による、バンド係止部６２に対して作用する係止解除力の方向と大きさを示している。
【００３９】
これら図３及び図４を用いて上述した事を説明すると、ワイヤハーネス１Ａがパネルに取り付けられた状態では、図３に示すように、バンド係止部６２のバンド部６１に対して作用する係止力（矢印Ｙ１）のみが生じている。そして、本体部５０が膨張していくことにより、前記係止力（矢印Ｙ１）を打ち消す力、即ち本体部５０の膨張によるバンド係止部６２に対して作用する係止解除力（矢印Ｙ２）、が大きくなっていき、この係止解除力（Ｙ２）が前記係止力（矢印Ｙ１）を上回った時点でバンド係止部６２のバンド部６１への係止が解除されて、このバンド部６１が電線束２及び膨張チューブ５から外れる。
【００４０】
そして、パネルから取り外された電線束２は、粘着テープ４が取り外され、さらに細かく分解されて、リサイクルされる。
【００４１】
本実施形態によれば、膨張チューブ５が膨張することにより電線束２に巻き付けられた複数のクリップ６が同時に外れるので、ワイヤハーネス１Ａの解体作業に要する時間を短くすることができる。また、このワイヤハーネス１Ａの解体作業は、作業員がクリップ６に直接手を触れることがなく力の要らない作業であるので、作業員の肉体的な負担を軽減することができるとともに、作業の安全を確保することができる。また、これらクリップ６がパネルの手の届き難い場所に取り付けられている場合でも、該クリップ６に直接手を触れずに容易にバンド部６１を電線束２から外すことができる。
【００４２】
さらに、本実施形態によれば、ワイヤハーネス１Ａをパネルから取り外す作業が、複雑な構成の装置を必要としないので、ワイヤハーネス１Ａの解体コストを低くすることができる。
【００４３】
（第２の実施形態）
次に、本発明の第２の実施形態に係るワイヤハーネスを図５及び図６を用いて説明する。図５は、本発明の第２の実施形態に係るワイヤハーネスを示す平面図である。図６は、図５に示されたワイヤハーネスをパネルから取り外す方法を説明する説明図である。また、これら図５及び図６において、前述した第１の実施形態と同一構成部分には、同一符号を付して説明を省略する。
【００４４】
図５に示すワイヤハーネス１Ｂは、第１の実施形態と同様に自動車に配索されるとともに該自動車の車体を構成するパネルに取り付けられる。このワイヤハーネス１Ｂは、複数の電線と、これら電線の端部などに取り付けられたコネクタ３と、前記複数の電線を束ねた外装部材としての複数のクリップ６’と、これらクリップ６’により前記複数の電線と共に束ねられた膨張チューブ５と、を有している。
【００４５】
上記クリップ６’は、バンド部６１と、バンド係止部６２と、圧入部６３と、を有している。そして、このバンド部６１には、幅が他の部分よりも小さく形成されて、破断し易くなるように形成された破断部６１ａが設けられている。
【００４６】
上述した構成の、パネルに固定されたワイヤハーネス１Ｂは、以下に示すようにパネルから取り外される。即ち、図６に示すように、バルブ５１に流体供給装置７が装着されて本体部５０内に流体が注入され、そして、本体部５０が膨張することにより、バンド部６１が破断部６１ａにおいて破断して、このバンド部６１が電線束２及び膨張チューブ５から外れる。このようにバンド部６１が外れることにより、電線束２及び膨張チューブ５即ちワイヤハーネス１Ｂがパネルから取り外される。
【００４７】
上記構成のワイヤハーネス１Ｂによれば、破断部６１ａを設けることにより、破断部６１ａを設けない場合よりも小さい力でバンド部６１を破断させることができる。即ち、膨張チューブ５に注入される流体の量が少なくて済むことになる。
【００４８】
このように本発明では、破断部６１ａの有無、及び、破断部６１ａの幅・厚み寸法を変更することにより、バンド部６１の強度、即ちちぎれ易さ、を調節することができる。
【００４９】
また、上述した第２の実施形態では、バンド部６１の一部分の幅を小さくすることにより破断部６１ａを設けていたが、本発明では、バンド部６１の一部分の厚みを薄くすることにより破断部を設けても良い。
【００５０】
（第３の実施形態）
次に、本発明の第３の実施形態に係るワイヤハーネスを図７及び図８を用いて説明する。図７は、本発明の第３の実施形態に係るワイヤハーネスを示す平面図である。図８は、図７に示されたワイヤハーネスをパネルから取り外す方法を説明する説明図である。また、これら図７及び図８において、前述した第１，２の実施形態と同一構成部分には、同一符号を付して説明を省略する。
【００５１】
図７に示すワイヤハーネス１Ｃは、第１，２の実施形態と同様に自動車に配索されるとともに該自動車の車体を構成するパネルに取り付けられる。このワイヤハーネス１Ｃは、複数の電線と、これら電線の端部などに取り付けられたコネクタ３と、前記複数の電線を束ねた外装部材としての粘着テープ４と、同じく前記複数の電線を束ねた外装部材としての複数のクリップ６と、これら粘着テープ４とクリップ６とにより前記複数の電線と共に束ねられた膨張チューブ５と、を有している。
【００５２】
上述した構成のワイヤハーネス１Ｃを組み立てる際は、複数の電線としぼんだ状態の膨張チューブ５とを合わせたものの外周に粘着テープ４を巻き付けて電線束２を設け、続いてこの膨張チューブ５を含んだ電線束２の外周にクリップ６のバンド部６１を巻き付ける。また、クリップ６は複数取り付けられる。こうしてワイヤハーネス１Ｃが組み立てられる。
【００５３】
また、上述した構成の、パネルに固定されたワイヤハーネス１Ｃは、以下に示すようにパネルから取り外される。即ち、図８に示すように、バルブ５１に流体供給装置７が装着されて本体部５０内に流体が注入され、本体部５０が膨張していくことにより、バンド係止部６２のバンド部６１への係止が解除されるとともに粘着テープ４が裂けて、これらバンド部６１と粘着テープ４とが複数の電線及び膨張チューブ５から外れる。このようにバンド部６１と粘着テープ４とが外れることにより、複数の電線及び膨張チューブ５即ちワイヤハーネス１Ｃがパネルから取り外されるとともに、電線束２がばらばらにばらされる。
【００５４】
このように本発明では、複数の電線と膨張チューブ５とを共に束ねる外装部材が、粘着テープ４とクリップ６との双方で構成されていても良く、クリップ６のみ、または、粘着テープ４のみであっても良い。また、この粘着テープ４は、複数の電線と膨張チューブ５とを単に束ねるだけのものであっても良いが、複数の電線と膨張チューブ５とを束ねるとともにこの電線束２にパネルへの係止部材（不図示）を取り付けるものであっても良い。さらに、複数の電線と膨張チューブ５とを束ねるとともにこの電線束２をパネルに取り付けるものであっても良い。
【００５５】
（第４の実施形態）
以下、本発明の第４の実施形態に係るワイヤハーネスを図９及び図１０を用いて説明する。図９は、本発明の第４の実施形態に係るワイヤハーネスを示す平面図である。図１０は、図９に示されたワイヤハーネスをパネルから取り外す方法を説明する説明図である。また、これら図９及び図１０において、前述した第１〜３の実施形態と同一構成部分には、同一符号を付して説明を省略する。
【００５６】
図９に示すワイヤハーネス１Ｄは、第１〜３の実施形態と同様に自動車に配索されるとともに該自動車の車体を構成するパネルに取り付けられる。このワイヤハーネス１Ｄは、複数の電線と、これら電線の端部などに取り付けられたコネクタ３と、前記複数の電線を束ねた外装部材としての粘着テープ４と、同じく前記複数の電線を束ねた外装部材としての複数のクリップ６’と、これら粘着テープ４とクリップ６’とにより前記複数の電線と共に束ねられた膨張チューブ５と、を有している。
【００５７】
上記構成のワイヤハーネス１Ｄは、前述した第３の実施形態と同様に組み立てられる。また、パネルに固定されたワイヤハーネス１Ｄは、以下に示すようにパネルから取り外される。即ち、図１０に示すように、バルブ５１に流体供給装置７が装着されて本体部５０内に流体が注入され、本体部５０が膨張していくことにより、バンド部６１が破断部６１ａにおいて破断するとともに粘着テープ４が裂けて、これらバンド部６１と粘着テープ４とが複数の電線及び膨張チューブ５から外れる。このようにバンド部６１と粘着テープ４とが外れることにより、複数の電線及び膨張チューブ５即ちワイヤハーネス１Ｄがパネルから取り外されるとともに、電線束２がばらばらにばらされる。
【００５８】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５９】
【図１】本発明の第１の実施形態に係るワイヤハーネスを示す平面図である。
【図２】図１に示されたワイヤハーネスをパネルから取り外す方法を説明する説明図である。
【図３】図１に示されたワイヤハーネスの作用を説明する説明図であり、前記ワイヤハーネスを構成する膨張チューブに流体が注入されていない状態を示す図である。
【図４】図１に示されたワイヤハーネスの作用を説明する説明図であり、図３に示された膨張チューブに流体が注入された状態を示す図である。
【図５】本発明の第２の実施形態に係るワイヤハーネスを示す平面図である。
【図６】図５に示されたワイヤハーネスをパネルから取り外す方法を説明する説明図である。
【図７】本発明の第３の実施形態に係るワイヤハーネスを示す平面図である。
【図８】図７に示されたワイヤハーネスをパネルから取り外す方法を説明する説明図である。
【図９】本発明の第４の実施形態に係るワイヤハーネスを示す平面図である。
【図１０】図９に示されたワイヤハーネスをパネルから取り外す方法を説明する説明図である。
【図１１】従来のワイヤハーネスを示す斜視図である。
【符号の説明】
【００６０】
１Ａ，１Ｂ，１Ｃ，１Ｄ  ワイヤハーネス
４  粘着テープ（外装部材）
５  膨張チューブ
６，６’  クリップ（外装部材）
６１  バンド部
６１ａ  破断部
６２  バンド係止部
６３  圧入部
【図１】
2009129734.tif 000003
【図２】
2009129734.tif 000004
【図３】
2009129734.tif 000005
【図４】
2009129734.tif 000006
【図５】
2009129734.tif 000007
【図６】
2009129734.tif 000008
【図７】
2009129734.tif 000009
【図８】
2009129734.tif 000010
【図９】
2009129734.tif 000011
【図１０】
2009129734.tif 000012
【図１１】
2009129734.tif 000013